(57)【要約】【課題】  作業効率の向上を図れる取付部材による取付構造を提供する。【解決手段】  ボス部９が主面Ｈに対し立設されている第１の部材３ａに、取付部材を介して第２の部材８を取り付ける取付構造において、上記ボス部９に取り付けられるための取付孔７ｄを有する取付部７ｂと、上記取付部７ｂ近傍に形成され、上記ボス部９と上記ボス部９に取り付けられる上記取付部７ｂの上記取付孔７ｄの中心軸が一致した状態を保持するように上記ボス部９を規制する規制部７ｃとを有する取付部材７を備えることを特徴とする。【選択図】  図５
2006059932.tif 000002
【特許請求の範囲】
【請求項１】
ボス部が主面に対し立設されている第１の部材に、取付部材を介して上記ボス部の取付孔に止めネジをねじ込んで第２の部材を取り付ける取付構造において、
上記ボス部に取り付けられるための取付孔を有する取付部と、
上記取付部近傍に形成され、上記ボス部と上記ボス部に取り付けられる上記取付部の上記取付孔の中心軸が一致した状態を保持するように上記ボス部を規制する規制部とを有する取付部材を備えることを特徴とする取付構造。
【請求項２】
上記規制部は、上記第１の部材に形成された上記ボス部が当接される面と略同一形状を有することを特徴とする請求項１記載の取付構造。
【発明の詳細な説明】
【技術分野】
【０００１】
本発明は、取付構造に関し、特に電子機器の筐体内部に用いられる取付部材による取付構造に関する。
【背景技術】
【０００２】
パネル型表示装置は、例えばプラズマ・ディスプレイ・パネル（PDP:plasma display panel）や液晶ディスプレイパネル或いはエレクトロ・ルミネッセント・ディスプレイ・パネル（electtro luminescent light source display panel）等の表示パネル体が用いられて、従来の陰極線管（CRT:cathode-ray tube）と比較して大型表示画面化や軽量化、薄型化を実現する。例えば、ＰＤＰ表示装置は、５０インチ以上の大型表示画面を実現するとともに良好な画質や壁掛け型としても使用することが可能な軽量薄型等の特徴を有しており、ハイビジョン放送やデジタルテレビジョン放送用の受信機や大型ディスプレィ装置用として注目されている。
【０００３】
これらのパネル型表示装置は、内部に収容される表示パネル体等の構造のみならず、パネル型表示装置の本体部においても、より薄型化、コスト削減のためにさまざまな工夫がなされている（例えば、特許文献１参照。）。
【０００４】
【特許文献１】特開２０００−７７８５５号公報
【発明の開示】
【発明が解決しようとする課題】
【０００５】
ところで、これらのパネル型表示装置の本体部は、外観のデザイン上、曲線部分が多く用いられている。例えば、図７は、パネル型表示装置における表示パネル体の要部拡大図を示している。図７に示すように、パネル型表示装置１００は、表示パネル体１０１が前面本体部１０２とフレーム部１０３とで挟持されている。前面本体部１０２は、表示パネル体１０１の表示面を外方に臨ませる矩形開口部１０４が設けられ、内部においてフレーム部１０３をネジ１０５により締結するためのボス部１０６が形成されている。前面本体部１０２は、不図示の背面本体部と合わさることにより、パネル型表示装置の本体を形成する。また、前面本体部１０２は、丸みを持ったフォルムを持たせるために、表示パネル体１０１の主面から略円弧状になるような曲線部１０７を有しており、該曲線部１０７の内面において上記ボス部１０６が形成されている。フレーム部１０３は、前面本体部１０２のボス部１０６とネジ１０５により締結されるめねじ部１０８が形成されている。
【０００６】
しかし、上述のような形状をしたパネル型表示装置１００は、前面本体部１０２とフレーム部１０３とを固定する場合、ボス部１０６が曲線部１０７上に形成されており、かつ、ボス部１０６の軸線Ｘは作業面Ｙに対し垂設され、曲線部１０７とは垂直に設けられていない。そのため、ボス部１０６は、めねじ部１０８に挿貫されたネジ１０５と締結される場合、ボス部１０６が矢印Ａ方向に逃げ、正確なネジ止めが行われない。
【０００７】
従来は、しかる問題を解決するため、ボス部１０６の底部近傍と作業面Ｙとの間に治具をあてがい、ボス部１０６が矢印Ａ方向に逃げるのを防止し、ネジ１０５を締結していたが、治具をあてがう作業を設けないといけない等、作業効率が悪い問題があった。
【０００８】
そこで、本発明は、上述の問題点に鑑み、作業効率の向上を図ることができる取付部材による取付構造を提供することを目的とする。
【課題を解決するための手段】
【０００９】
上述した目的を達成するために、本発明に係る取付構造は、ボス部が主面に対し立設されている第１の部材に、取付部材を介して上記ボス部の取付孔に止めネジをねじ込んで第２の部材を取り付ける取付構造において、上記第２の部材と結合される結合部と、上記ボス部に取り付けられるための取付孔を有する取付部と、上記取付部近傍に形成され、上記ボス部と上記ボス部に取り付けられる上記取付部の上記取付孔の中心軸が一致した状態を保持するように上記ボス部を規制する規制部とを有する取付部材を備える。
【００１０】
さらに、上記規制部は、上記第１の部材に形成された上記ボス部が当接される面と略同一形状を有する。
【発明の効果】
【００１１】
本発明によれば、第２の部材に形成された取付部近傍の規制部が、第１の部材のボス部と第２の部材の取付部の取付孔の中心軸が一致した状態を保持するようにボス部を規制する。そのため、第１の部材と第２の部材とを固定するにあたって、上記軸線がすれないように特別な治具を使用する必要がなく、組立作業の向上を図ることができる。
【００１２】
また、本発明によれば、上記規制部は、上記第１の部材に形成された上記ボス部が当接される面と略同一形状を備える。そのため、上記規制部は、上述のような機能の他、上記第１の部材と上記第２の部材との位置決めが容易となり、さらに、生産効率の向上が図れる。
【発明を実施するための最良の形態】
【００１３】
以下、本発明の実施の形態として図面に示したパネル型表示装置（以下、表示装置と略称する。）１について説明する。なお、以下に述べる実施の形態は、本発明が適用される取付構造として好適なパネル型表示装置について述べたが、これに限らず、例えば、ノート型のコンピュータや携帯型の電子機器等における取付構造であってもよい。
【００１４】
表示装置１は、カラー・プラズマ・ディスプレイ・パネル（以下、カラーＰＤＰと称する。）２が表示パネルモジュールとして用いられ、大型画面化と薄型化を図ったテレビジョン受像機である。表示装置１は、図１及び図２に示すように正面形状が横長矩形を呈する表示装置本体部３の左右側面部にそれぞれスピーカ部４Ａ，４Ｂが収容されるとともに、この表示装置本体部３がスタンド部材５によって支持される。
【００１５】
表示装置本体部３は、例えば、樹脂等から形成され、内部にカラーＰＤＰ２等が収容されるような空間を残した前面本体部３ａと背面本体部３ｂとから構成されている。
【００１６】
前面本体部３ａは、表示装置１の前面にあたる部材であり、図３に示すように、カラーＰＤＰ２の表示面が外方に臨ませられた矩形開口部６を有している。前面本体部３ａは、例えば、デザイン上、丸みを持たせるために、矩形開口部６が設けられた主面から連続して背面側に向けて湾曲している湾曲部１０を有している。前面本体部３ａは、その内部においては、後述する取付部材７を介してフレーム部材８と結合され、カラーＰＤＰ２を挟持する。前面本体部３ａは、カラーＰＤＰ２の表示面が矩形開口部６の所定の位置にくるようにカラーＰＤＰ２をフレーム部材８によって挟持する。前面本体部３ａは、矩形開口部６が形成された主面に対して垂直な方向にボス部９が形成されている。ボス部９は、前面本体部３ａの内側に前面本体部３ａの主面に対して垂直に立設され、取付部材７や、背面本体部３ｂ等とネジ１１によって係合される。また、ボス部９は、軸が前面本体部３ａの主面と垂直になるように、前面本体部３ａの湾曲している湾曲部１０上に立設されている。
【００１７】
背面本体部３ｂは、表示装置本体部３の背面側にあたる部材であり、内部のカラーＰＤＰ２などから発生する熱を放熱できるような放熱孔等を有している。
【００１８】
取付部材７は、図４に示すように、略矩形状のフレーム部材８の端部に一体形成されており、フレーム部材８と垂直な垂直面７ａと、フレーム部材８と水平でありボス部９の上面と水平な取付面７ｂと、ボス部９の外側面と当接する規制片７ｃとから構成されている。取付部材７は、垂直面７ａと取付面７ｂとがほぼ垂直になるように形成されており、取付面７ｂは、ネジ１１によって係合されるボス部９の上面と接する位置にある。また、取付面７ｂは、ボス部９に取り付けられる位置において、貫通孔７ｄを有している。
【００１９】
規制片７ｃは、取付面７ｃの貫通孔７ｄ近傍に立設されており、ネジ１１によって取付面７ｃと係合されるボス部９の側面に当接される位置に形成されている。具体的には、規制片７ｃは、ボス部９が立設されている湾曲部１０のボス部９先端部と、湾曲部１０との距離が近い側の側面を規制するように設けられている。
【００２０】
フレーム部材８は、主面がカラーＰＤＰ２の表示面と略同一の矩形状であり、その端部には、前面本体部３ａに取り付けられる取付部材７が一体に形成されている。フレーム部材８は、取付部材７を介して、ネジ１１によって、前面本体部３ａに取り付けられ、カラーＰＤＰ２を挟持する。
【００２１】
以上のような構成をした取付部材７における取付構造は、規制片７ｃを有しているので、ネジ１１によって取付部材７がボス部９に取り付けられる際、ボス部９と貫通孔７ｄの中心軸方向（図５中一点鎖線Ｖ）に掛けられた力が、湾曲部１０と垂直な方向（図５中矢印Ｂ）に逃げることを防止することができる。つまり、従来のように、ボス部９の軸線方向上で、湾曲部１０と設置面（図５中Ｈ面）との間に、特殊な治具をあてがう必要がなくなり、生産効率の向上を図れる。
【００２２】
なお、上述のように、規制片７ｃは、ボス部９の側面に当接されるように形成されることに限らず、例えば、図６に示すように、ボス部９の規制片７ｃが当接される部位において、規制片７ｃと同様な形状に形成された凹部９ａを設けるようにしてもよい。このとき、上記凹部９ａは、規制片７ｃと当接されて、ボス部９が湾曲部１０と垂直な方向（矢印Ｂ）に逃げないように規制するとともに、取付部材７及びフレーム８の位置決め部材の役目をする。
【図面の簡単な説明】
【００２３】
【図１】パネル型表示装置の正面図である。
【図２】パネル型表示装置の平面図である。
【図３】前面本体部の要部斜視図である。
【図４】本発明を適用した取付部材を示した一部破断斜視図である。
【図５】本発明を適用した取付部材を示した一部破断平面図である。
【図６】本発明を適用した他の取付部材を示した一部破断平面図である。
【図７】従来のパネル型表示装置における表示パネル体の一部破断平面図である。
【符号の説明】
【００２４】
１  表示装置、２  カラーＰＤＰ、３  表示装置本体部、３ａ  前面本体部、３ｂ  背面本体部、４Ａ，４Ｂ  スピーカ部、５  スタンド部材、６  矩形開口部、７  取付部材、７ａ  垂直面、７ｂ  取付面、７ｃ  規制片、７ｄ  貫通孔、８  フレーム部材、９  ボス部、９ａ  凹部、１０  湾曲部、１１  ねじ、１００  パネル型表示装置、１０１  表示パネル体、１０２  前面本体部、１０３  フレーム部、１０４  矩形開口部、１０５  ねじ、１０６  ボス部、１０７  曲線部、１０８  めねじ部、
【図１】
2006059932.tif 000003
【図２】
2006059932.tif 000004
【図３】
2006059932.tif 000005
【図４】
2006059932.tif 000006
【図５】
2006059932.tif 000007
【図６】
2006059932.tif 000008
【図７】
2006059932.tif 000009